(57)【要約】【課題】  薄型表示装置など電子機器の筐体に配設された放熱孔を経由し静電気帯電した人体やその他の物品から該電子機器内部の配線部材に放電し、該配線部材に接続された半導体部品の絶縁破壊不良が発生することを防止するための該配線部材の通過位置規制手段を提供する。【解決手段】  ＦＰＣやＦＦＣなどの配線部材２４の側縁部を該印刷配線基板取り付け用の樹脂成型シャーシ６と一体に形成したクランパ６ａａまたはおよび６ａｂにより係止し、または該配線部材２４が近接するキャビネット内面の排気孔の近傍に該キャビネットの内面の法線方向に薄板状の隔壁を形成し、該排気孔および該配線部材２４の空間距離を維持する。【選択図】  図４
2007073790.tif 000002
【特許請求の範囲】
【請求項１】
電子機器内の印刷配線基板に接続されるＦＰＣやＦＦＣなどの配線部材を係止する配線部材係止装置において、該配線部材の側縁部の少なくともひとつを挟持するよう形成したクランパを該印刷配線基板取り付け用樹脂成型シャーシと一体に形成したことを特長とする配線部材係止装置。
【請求項２】
印刷配線基板に接続されるＦＰＣやＦＦＣなどの配線部材を内蔵する電子機器の筐体面に放熱孔を具備する電子機器筐体において、該配線部材に近接する該筐体内面の該放熱孔近傍に、該筐体内面の法線方向に突起する隔壁を形成したことを特長とする電子機器筐体。
【発明の詳細な説明】
【技術分野】
【０００１】
本発明は液晶表示パネルやＰＤＰを表示素子とする薄型表示装置その他の電子機器内部のＦＰＣやＦＦＣなどの配線部材の係止装置、および放熱孔を具備する電子機器筐体に関するもので、詳しくは該配線部材および該電子機器筐体面に穿設された放熱孔との空間距離を維持する手段を提供するものである。
【背景技術】
【０００２】
液晶表示パネルやＰＤＰを表示素子とするテレビやデータディスプレイなどの薄型表示装置は、従来のブラウン管を表示素子とした表示装置と比較しフラットな大画面、薄型、軽量、省電力などの多くの特長を有することから急速に需要が拡大している。特に充分な設置場所の確保が困難な設置環境条件下においても大型表示画面を享受できる薄型表示装置の特長を確固たるものとすべく更なる薄型化実現の努力が払われている。
【０００３】
薄型表示装置の更なる薄型化実現の一手段として、該薄型表示装置内に配設される多数の印刷配線基板相互間や該印刷配線基板と表示パネル間の多数の回路を一挙に接続することが可能な配線部材としてフィルム状のＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）などの配線部材を適用すると共に、該薄型表示装置のキャビネット内に配設された該配線部材や印刷配線基板を含む電子回路部品および該キャビネット内面の空間を可及的に小さくしている。
【０００４】
図１（ｂ）は薄型表示装置としての液晶テレビの背面図を示している。図１（ｂ）中の切断線Ｃ−Ｃで切断した縦断面図である図６に示すごとく該薄型表示装置内で発生する熱を大気中に放散し効率よくキャビネット内部を冷却するために多数の排気孔３ａｂが後キャビネット３の上部に穿設されている。該後キャビネット３に穿設された排気孔３ａｂの外面の至近位置に人体やその他の静電気帯電物７が接近または接触した場合に、該薄型表示装置の該後キャビネット３上部の該排気孔３ａｂを経由し至近距離に位置する該薄型表示装置内のＦＰＣやＦＦＣなどの配線部材２４（以下、単に配線部材と言う）を含む電子回路部品の導電体に放電し、該導電体に接続された半導体部品の絶縁破壊不良を惹起させることがある。
【０００５】
電子回路中のＭＯＳ型半導体は１００ボルト前後の過電圧で絶縁破壊され不良を発生するのに対し、冬季の乾燥期に人体に帯電する静電気電圧は１０キロボルト以上に達することがあり、前記後キャビネットに穿設された排気孔を経由し、人体やその他の静電気帯電物が筐体内部の配線部材を含む電子回路部品に放電し該電子回路中の半導体部品の絶縁不良が発生することを防止するため、通過位置が不安定な該キャビネット内部の配線部材および該後キャビネットに穿設された排気孔間に充分な空間距離を維持する必要がある。
【０００６】
配線部材の通過位置を規制するための従来例としては、特許文献１に見られるごとく印刷配線基板端面に配線挿入口および配線係止孔を設け配線部材を係止する。または特許文献2に見られるごとく印刷配線基板支持体の一部に配線係止部を設け係止しているが、いずれも絶縁被覆電線を係止することを意図したものであり、ＦＰＣやＦＦＣなどの配線部材の通過位置を合理的に規制する手段ではなかった。
【特許文献１】特開平７−３２６８７３号公報
【特許文献２】実開昭６２−３４４８３号公報
【発明の開示】
【発明が解決しようとする課題】
【０００７】
薄型表示装置の後キャビネットに配設された放熱孔の外面の至近位置に人体やその他の静電気帯電物が接近または接触した場合に、該薄型表示装置の該後キャビネットの放熱孔を経由し至近距離に位置する該薄型表示装置内の配線部材を含む電子回路部品の導電体に放電し、該導電体に接続された半導体部品の絶縁破壊不良を発生させる不都合を惹起することがある。
【０００８】
特にＦＰＣやＦＦＣなどのプラスチックフィルム面に導体を形成した配線部材では該導電体への過剰な機械的ストレスによる該導電体の断線事故防止のため折り曲げ部に一定以上の屈曲半径を維持する必要があり、また該配線部材を構成するプラスチックフィルム部材が有するスプリングアクションにより通過経路が大きな円弧を描くため、後キャビネット内面に接触しやすくなるため確実な配線部材の通過位置規制手段を必要とする。また、設計上又は生産上の都合、例えば、異機種間での部品の共通化や、生産現場での管理を容易にするため、過去のモデルで使用した既存の部品を流用することも多い。この場合、前記配線部材の通過位置規制手段として短いものは使えず、長目のものを使用せざるを得ないため、さらに後キャビネット内面に接触しやすくなるため確実な配線部材の通過位置規制手段を必要とする。
【課題を解決するための手段】
【０００９】
電子機器内部の印刷配線基板相互の接続、または印刷配線基板および他の電子回路部品間を接続するＦＰＣやＦＦＣなどの配線部材の側縁部を係止するため爪状に形成された少なくともひとつの配線部材係止用クランパを印刷配線基板取り付け用樹脂成型シャーシと一体に形成する。
【００１０】
電子機器内部の印刷配線基板相互の接続、または印刷配線基板および他の電子回路部品間を接続するＦＰＣやＦＦＣなどの配線部材の通過位置を規制し、該電子機器のキャビネット面に穿設された放熱孔との空間距離を維持するため、該配線部材が近接する該キャビネット内面の該放熱孔近傍に、該キャビネット内面の法線方向に突起する隔壁を形成する。
【発明の効果】
【００１１】
ＦＰＣやＦＦＣなどの配線部材を構成する導電体への過剰な機械的ストレスによる該導電体の断線事故防止のため該配線部材の折り曲げ部には一定以上の屈曲半径を維持する必要がある該ＦＰＣやＦＦＣなどの配線部材において確実に通過位置を規制し、該配線部材および電子機器の筐体面に穿設された放熱孔との空間距離を維持することが可能となり、後キャビネットに穿設された放熱孔外面の至近位置に人体やその他の静電気帯電物が接近または接触した場合においても、該人体やその他の静電気帯電物から該配線部材を含む電子回路部品への静電気放電による該電子回路中の半導体部品の絶縁破壊不良の発生を防止することが可能となる。
【発明を実施するための最良の形態】
【００１２】
以下、図に基づき本発明の実施形態を適用した薄型表示装置としての液晶テレビについて説明する。図１（ａ）は液晶テレビ１の外観正面図、図１（ｂ）は該液晶テレビ１の背面図である。図１において、２は画像表示を行う液晶表示パネル３は後キャビネット、３ａａは該液晶テレビ内部における発生熱を筐体外に放散し冷却するための外気の吸気孔、３ａｂは排気孔、４は液晶テレビ１を卓上型として使用する場合に適用されるスタンド、５は前キャビネットである。
【００１３】
次に、図２に基づき液晶テレビ内部の光学システムの概要構成を説明する。液晶表示パネル２の背面側には、液晶表示画面の高輝度化や面輝度均一化などの画像品位改善のため光反射、偏光、屈折、光拡散などの高度の光制御技術を利用し表面に多数のマイクロレンズアレイを形成するなどの手段を適用した複数のフィルムにより構成される光学シートセット１１が配設されている。さらに該光学シートセット１１の後方には該光学シートセット１１および該液晶表示パネル２の背面から光照射するためのバックライトユニット１９が配設されている。該バックライトユニット１９はバックライトシャーシ１３内部に多数の発光管１４および光拡散板１２が配設されている。
【００１４】
図３は本発明の実施形態を示す液晶テレビの後キャビネットを取り除き、内部の主要構成部品の配置関係を示す斜視図である。液晶表示パネル２の背面には該液晶表示パネル２の背面から光照射するためのバックライトユニットを構成するバックライトシャーシ１３が配設されている。さらに該バックライトシャーシ１３の背面には液晶テレビの電気回路を構成する信号処理基板２２や液晶表示パネルコントローラ基板２３などの複数の印刷配線基板が取り付けられている。該液晶表示パネルコントローラ基板２３および該液晶表示パネル２はコネクタ２５を介し、ＦＰＣやＦＦＣなどの配線部材２４により接続されている。
【００１５】
図４は本発明の第１の実施例を説明するための液晶表示パネル２および液晶表示パネルコントローラ基板２３を接続するＦＰＣやＦＦＣなどの配線部材２４部分を詳細に示す拡大斜視図である。ＦＰＣやＦＦＣなどの配線部材２４は液晶表示パネルコントローラ基板２３側に装着されたコネクタ２５および液晶表示パネル２側に装着されたコネクタ２５間を接続している。配線部材２４はプラスチックフィルム面に多数の導電体を印刷技術により形成し、該導電体表面がさらにプラスチック薄膜絶縁体で覆われている。該配線部材の薄型化と柔軟性を維持する必要から該プラスチック絶縁体の膜厚は薄く耐電圧は５００ボルト程度に設定されているが、本発明による液晶テレビでは通常の使用条件において問題なく使用することが可能である。
【００１６】
図５は、本発明の第１の実施例の変形例を示し、樹脂成型シャーシ６の第１及び第２のクランパを傾斜して形成したものであり、図示するごとく第１のクランパ６ａａ’及び第２のクランパ６ａｂ’を傾斜して形成してある。それ以外の構成は図４の構成と同一である。このように傾斜して形成することにより、ＦＰＣやＦＦＣなどの配線部材２４部分を更に適切に位置決めし保持することが可能となる。すなわち、傾斜して形成された第１のクランパ６ａａ’及び第２のクランパ６ａｂ’によりＦＰＣやＦＦＣなどの配線部材２４部分が後キャビネット３側に変位するのを規制することが可能となる。
【００１７】
しかしながら該配線部材２４が液晶テレビキャビネットの放熱孔などの開口部を通じキャビネットの外部から冬季の乾燥期には１０キロボルト以上にも達する人体などの静電気帯電物が接触または近接した場合には、該配線部材２４の該プラスチック薄膜絶縁体の絶縁を破壊し該配線部材を構成する導電体に放電する。放電電圧は該配線部材２４の導電体を通じ該導電体に接続されたＭＯＳ型半導体などの集積回路部品やトランジスタにも印加され、これらの半導体の絶縁破壊不良を発生させる原因となる。
【００１８】
図７の従来例に示すごとく配線部材２４を構成するプラスチック構成部材が有するスプリングアクションにより該配線部材２４の通過経路は、該配線部材２４が接続される複数のコネクタ２５の２点間に大きな円弧を描き、後キャビネット３の上部に穿設された排気孔３ａｂに接近または接触する。このような状態を回避するため図４に示すごとく第１のクランパ６ａａおよびまたは第２のクランパ６ａｂを印刷配線基板支持用の樹脂成型シャーシ６と共に一体に成型し、該配線部材２４の少なくとも側縁部のひとつを挟持し、配線部材２４の通過経路を規制することにより該配線部材２４およびキャビネットに穿設された排気孔との空間距離を確保し、該キャビネットに穿設された放熱孔を通じ該キャビネット外表面に近接または接触した静電気帯電物が該配線部材２４に放電することを防止することが可能となる。
【００１９】
図６は本発明の第２の実施形態を説明するため図１中に示す切断線Ｃ−Ｃに沿って切断した縦断面を示す斜視図である。後キャビネット3の上部に穿設された複数の排気孔３ａｂの仕切り部分３ｄの内面の法線方向に薄板状の複数の隔壁３ｃが後キャビネット３と共に一体に成型されている。
【００２０】
ＦＰＣやＦＦＣなどの配線部材２４および該後キャビネット３の上部に穿設された排気孔３ａｂは該隔壁３ｃにより相互に隔てられ、該排気孔３ａｂの外面に接近又は接触する静電気帯電物および後キャビネット３内部の配線部材２４との空間距離を維持することが可能となり１０キロボルト以上にも及ぶ静電気該帯電物の静電気が該配線部材２４に放電することを防止し、該配線部材２４に接続される半導体部品の絶縁破壊不良の発生を防止することが可能となる。また該配線部材２４が排気孔３ａｂを閉塞しキャビネット内部での発生熱の放熱効果を低下させることをも防止することが出来る。
【図面の簡単な説明】
【００２１】
【図１】本発明に係わる液晶テレビの図１（ａ）は正面図、図１（ｂ）は背面図である。
【図２】本発明に係わる液晶テレビ内部の光学系の概要構成を示す斜視図である。
【図３】本発明に係わる液晶テレビの後キャビネットを取り除いた該液晶テレビ内部の背面斜視図である。
【図４】本発明の第１の実施例を説明するための配線部材部分を詳細に示す拡大斜視図である。
【図５】本発明の第１の実施例のクランパの変形例を説明するための配線部材部分を詳細に示す拡大斜視図である。
【図６】本発明の第２の実施形態を示すため、図１（ｂ）中に鎖線で示す切断線Ｃ−Ｃに沿って切断した縦断面を示す斜視図である。
【図７】図１（ｂ）中に鎖線で示す切断線Ｃ−Ｃに沿って切断した従来例の縦断面図で、液晶テレビ内部における配線部材および排気孔との位置関係を示す。
【符号の説明】
【００２２】
１：  液晶テレビ
２：  液晶表示パネル
３：  後キャビネット
３ａ：  放熱孔
３ａａ：  吸気孔
３ａｂ：  排気孔
３ｂ：  突起
３ｃ：  隔壁
３ｄ：  仕切り部分
４：  スタンド
５：  前キャビネット
６：  樹脂成型シャーシ
６ａ：  クランパ
６ａａ、  ６ａａ’：  第１のクランパ
６ａｂ、  ６ａｂ’：  第２のクランパ
７：  静電気帯電物
１１：  光学シートセット
１２：  光拡散板
１３：  バックライトシャーシ
１４：  発光管
１９：  バックライトユニット
２２：  信号処理基板
２３：  液晶表示パネルコントローラ基板
２４：  配線部材
２５：  コネクタ
【図１】
2007073790.tif 000003
【図２】
2007073790.tif 000004
【図３】
2007073790.tif 000005
【図４】
2007073790.tif 000006
【図５】
2007073790.tif 000007
【図６】
2007073790.tif 000008
【図７】
2007073790.tif 000009